(57)【要約】      （修正有）【課題】撮影画面の内容が豊かになり、パターン又は文字で立体カラー効果を表現できるカメラレンズ用フィルムステッカーを提供する。【解決手段】カメラレンズ用フィルムステッカーはカメラレンズを覆うフィルム本体１と、フィルム本体をカメラレンズに接着する光学接着剤層と、を含み、フィルム本体には少なくとも１個のグレーティングパターン領域１１及び少なくとも１個の光透過領域１２が設けられる。カメラレンズの通常の撮影機能に影響を及ぼさず、各グレーティングパターン領域は図形、文字又は顔文字などであり、撮影シーンに街路灯、夜間照明、懐中電灯又は太陽光の反射光などの光点がある時、対応するパターンを光点部位に記録することができ、複数の光点には複数のパターンがあり、それらが撮影画面内に記録される。【選択図】図１
0003226929.tif 000002
【実用新案登録請求の範囲】
【請求項１】
カメラレンズを覆うことができるフィルム本体と、前記フィルム本体を前記カメラレンズに接着することができる光学接着剤層と、を含み、前記フィルム本体には少なくとも１個のグレーティングパターン領域及び少なくとも１個の光透過領域が設けられることを特徴とする、カメラレンズ用フィルムステッカー。
【請求項２】
前記グレーティングパターン領域は、回折グレーティングマイクロ・ナノ構造又はホログラフィック回折グレーティングマイクロ・ナノ構造であることを特徴とする、請求項１に記載のカメラレンズ用フィルムステッカー。
【請求項３】
前記光透過領域は、１つであり、前記グレーティングパターン領域が前記光透過領域を囲むように形成されることを特徴とする、請求項１に記載のカメラレンズ用フィルムステッカー。
【請求項４】
前記光透過領域は、透明又は打ち抜きによって形成することができることを特徴とする、請求項１又は３に記載のカメラレンズ用フィルムステッカー。
【請求項５】
前記グレーティングパターン領域は、複数であり、前記複数のグレーティングパターン領域が互いに離間しており、前記複数のグレーティングパターン領域間の間隔が前記光透過領域を形成することを特徴とする、請求項１に記載のカメラレンズ用フィルムステッカー。
【請求項６】
前記フィルム本体の一部の縁から外方に延びて形成されるリムーバブル領域をさらに含むことを特徴とする、請求項１に記載のカメラレンズ用フィルムステッカー。
【請求項７】
カメラレンズを覆うことができるフィルム本体と、前記フィルム本体から延出された周縁を前記カメラレンズの縁部に貼り付ける接着層と、を含み、前記フィルム本体には少なくとも１個のグレーティングパターン領域及び少なくとも１個の光透過領域が設けられることを特徴とする、カメラレンズ用フィルムステッカー。
【請求項８】
前記グレーティングパターン領域は、回折グレーティングマイクロ・ナノ構造又はホログラフィック回折グレーティングマイクロ・ナノ構造であることを特徴とする、請求項７に記載のカメラレンズ用フィルムステッカー。
【請求項９】
前記光透過領域は、１つであり、前記グレーティングパターン領域が前記光透過領域を囲むように形成され、かつ前記光透過領域が透明又は打ち抜きによって形成することができ、又は前記グレーティングパターン領域は、複数であり、前記複数のグレーティングパターン領域が互いに離間しており、前記複数のグレーティングパターン領域間の間隔が前記光透過領域を形成することを特徴とする、請求項７に記載のカメラレンズ用フィルムステッカー。
【請求項１０】
前記フィルム本体の一部の縁から外方に延びて形成されるリムーバブル領域をさらに含むことを特徴とする、請求項７に記載のカメラレンズ用フィルムステッカー。
【考案の詳細な説明】
【技術分野】
【０００１】
本考案は、光グレーティングの結像技術をカメラレンズ上に活用するフィルムステッカーに関する。
【背景技術】
【０００２】
科学技術の発展により、スマートフォンのカメラ性能の向上もますます進み、人々の仕事、生活及び社交などの側面におけるスマートフォンの活用はますます幅広くなっている。特に、現在の多種多様なソーシャルプラットフォームにおいて、人々は自分の生活の様子を示すためにプラットフォームに写真をアップロードして、展示効果、広告効果又は教示効果を得ることが好きになっている。写真に文字、顔文字又は絵文字を入れることも、アップロードする人々の好みの1つである。写真に文字、顔文字又は絵文字を入れるのは、通常、画像編集ソフトウェアによって実現される。
【考案の概要】
【考案が解決しようとする課題】
【０００３】
本考案の目的は、従来技術の欠点を克服し、カメラレンズ用フィルムステッカーを提供することにある。
【課題を解決するための手段】
【０００４】
上記技術的課題を解決するために本考案では講じた第１の技術的手段として、
カメラレンズ用フィルムステッカーであって、前記カメラレンズを覆うことができるフィルム本体と、前記フィルム本体をカメラレンズに接着することができる光学接着剤層と、を含み、前記フィルム本体には少なくとも１個のグレーティングパターン領域及び少なくとも１個の光透過領域が設けられる。
【０００５】
他の好ましい実施例では、前記グレーティングパターン領域は、回折グレーティングマイクロ・ナノ構造又はホログラフィック回折グレーティングマイクロ・ナノ構造である。
【０００６】
他の好ましい実施例では、前記光透過領域は１つであり、前記グレーティングパターン領域が前記光透過領域を囲むように形成される。
【０００７】
他の好ましい実施例では、前記グレーティングパターン領域は複数であり、複数のグレーティングパターン領域が互いに離間しており、複数のグレーティングパターン領域間の間隔が前記光透過領域を形成する。
【０００８】
他の好ましい実施例では、前記フィルム本体の一部の縁から外方に延びて形成されるリムーバブル領域をさらに含む。
【０００９】
上記技術的課題を解決するために本考案では講じた第２の技術的手段として、
カメラレンズ用フィルムステッカーであって、前記カメラレンズを覆うことができるフィルム本体と、前記フィルム本体から延出された周縁をカメラレンズの縁部に貼り付ける接着層と、を含み、前記フィルム本体には少なくとも１個のグレーティングパターン領域及び少なくとも１個の光透過領域が設けられる。
【００１０】
他の好ましい実施例では、前記グレーティングパターン領域は、回折グレーティングマイクロ・ナノ構造又はホログラフィック回折グレーティングマイクロ・ナノ構造である。
【００１１】
他の好ましい実施例では、前記光透過領域は１つであり、前記グレーティングパターン領域が前記光透過領域を囲むように形成される。
【００１２】
他の好ましい実施例では、前記グレーティングパターン領域は複数であり、複数のグレーティングパターン領域が互いに離間しており、複数のグレーティングパターン領域間の間隔が前記光透過領域を形成する。
【００１３】
他の好ましい実施例では、前記フィルム本体の一部の縁から外方に延びて形成されるリムーバブル領域をさらに含む。
【考案の効果】
【００１４】
本考案は、以下に記載されるような効果を奏する。
カメラレンズには取り外し可能なフィルムステッカーが設けられ、フィルムステッカーにはグレーティングパターン領域及び光透過領域が設けられ、カメラレンズの通常の撮影機能に影響を及ぼさず、各グレーティングパターン領域は図形、文字又は顔文字などであり、撮影シーンに街路灯、夜景の光、懐中電灯又は太陽光の反射光などの光点がある時、対応するパターンを光点部位に記録することができ、複数の光点には複数のパターンがあり、それらが撮影画面内に記録され、パターン又は文字で立体カラー効果を表現し、グレーティングパターンは、必要に応じて１個以上設けることができ、グレーティングパターン領域が回折グレーティングマイクロ・ナノ構造又はホログラフィック回折グレーティングマイクロ・ナノ構造を使用し、前記フィルムステッカーのフィルム本体は、光学接着剤層を通じてカメラレンズに直接接着することができ、簡単に取り外し及び接着するため、リムーバブル領域を設けることができ、縁部をカメラレンズの縁部位置に接着することによってフィルムステッカーの貼り付けを実現できる。本考案の体積は小さく、使いやすく、奥深い面白さがある。
【００１５】
以下、添付図面及び実施例を参照しつつ、本考案を詳細に説明するが、本考案のカメラレンズ用フィルムステッカーは実施例に限定されるものではない。
【図面の簡単な説明】
【００１６】
【図１】本考案の実施例１に係る構造を示す模式図である。
【図２】本考案の実施例２に係る構造を示す模式図である。
【図３】本考案の実施例３に係る構造を示す模式図である。
【考案を実施するための形態】
【００１７】
本考案の詳細な説明及び技術内容については、図面を参照しつつ、以下に説明する。さらに、本考案の図面は説明の便宜上のものであり、その比率は必ずしも実際の比率に従って描かれているわけではなく、誇張されている場合があり、これら図面及びその比率は、本考案の範囲を限定することを意図していない。
【００１８】
以下、本考案の複数の具体的実施例について詳細に説明する。
【実施例１】
【００１９】
図１を参照すると、カメラレンズ用フィルムステッカーであって、前記カメラレンズを覆うことができるフィルム本体１と、光学接着剤層（図示せず）と、リムーバブル領域２と、を含む。
【００２０】
一つの実現可能な実施例では、前記フィルム本体１は円形構造を備え、前記リムーバブル領域２が前記フィルム本体１の一部の縁から外方に延びて形成され、前記光学接着剤層が前記フィルム本体１のいずれか一方の面上に塗布されている。
【００２１】
前記フィルム本体１には、グレーティングパターン領域１１及び光透過領域１２が設けられている。一つの実現可能な実施例では、前記光透過領域１２は透明又は打ち抜きによって形成することができ、前記グレーティングパターン領域１１が前記光透過領域１２を囲んで形成される。一つの実現可能な実施例では、前記グレーティングパターン領域は回折グレーティングマイクロ・ナノ構造又はホログラフィック回折グレーティングマイクロ・ナノ構造である。一実施例では、前記グレーティングパターン領域は、例えばホットプレス成形、ＵＶインプリント、コーティング或いはＵＶ転写に限定されることない方式で前記フィルム本体１に形成されることができる。本実施例のカメラレンズ用フィルムステッカーは、携帯電話のカメラ又はデジタルカメラ又はビデオカメラのレンズに運用され、使用者が写真を撮る時、撮影シーン内に光点がある場合、カメラのフィルムステッカー上のグレーティングパターンが撮影画面の光点部位に記録され、パターン上に立体カラー効果がある。
【実施例２】
【００２２】
図２を参照すると、本実施例と実施例１の相違点は、前記グレーティングパターン領域１１’が複数あることである。一つの実現可能な実施例では、複数のグレーティングパターン領域１１’がアレイ状に並べ、互いに離間して配置され、前記複数のグレーティングパターン領域１１’間の間隔が前記光透過領域１２’を形成する。
【実施例３】
【００２３】
図３を参照すると、本実施例と実施例１との相違点は、カメラレンズ用フィルムステッカーは前記カメラレンズを覆うことができるフィルム本体１と、前記フィルム本体１から延出された周縁をカメラレンズの縁部に貼り付ける接着層１３と、を含み、前記フィルム本体１には少なくとも１個のグレーティングパターン領域１１及び少なくとも１個の光透過領域１２が設けられることである。
【産業上の利用可能性】
【００２４】
上記をまとめると、本考案の有利な効果として、カメラレンズには取り外し可能なフィルムステッカーが設けられ、フィルムステッカーにはグレーティングパターン領域及び光透過領域が設けられ、カメラレンズの通常の撮影機能に影響を及ぼさず、各グレーティングパターン領域は図形、文字又は顔文字などであり、撮影シーンに街路灯、夜間照明、懐中電灯又は太陽光の反射光などの光点がある時、対応するパターンを光点部位に記録することができ、複数の光点には複数のパターンがあり、それらが撮影画面内に記録され、パターン又は文字で立体カラー効果を表現し、グレーティングパターンは、必要に応じて１個以上設けることができ、グレーティングパターン領域が回折グレーティングマイクロ・ナノ構造又はホログラフィック回折グレーティングマイクロ・ナノ構造を使用し、前記フィルムステッカーのフィルム本体は、光学接着剤層を通じてカメラレンズに直接接着することができ、簡単に取り外し及び接着するため、リムーバブル領域を設けることができ、縁部をカメラレンズの縁部位置に接着することによってフィルムステッカーの貼り付けを実現できる。本考案の体積は小さく、使いやすく、奥深い面白さがある。
【００２５】
上記実施例は、本考案のカメラレンズ用フィルムステッカーをさらに説明するためにのみ使用されるものであって、本考案は実施例に限定されるものではなく、本考案の技術に基づいて実質的に上記の実施例に加えられた単純な修正、均等範囲内の変化と潤飾は、均しく本考案の技術的手段の保護範囲内に網羅される。
【符号の説明】
【００２６】
１            フィルム本体
１１  グレーティングパターン領域
１１’        グレーティングパターン領域
１２  光透過領域
１２’        光透過領域
１３  接着層
２            リムーバブル領域
【図１】
0003226929.tif 000003
【図２】
0003226929.tif 000004
【図３】
0003226929.tif 000005
【手続補正書】
【提出日】令和2年4月23日(2020.4.23)
【手続補正１】
【補正対象書類名】実用新案登録請求の範囲
【補正対象項目名】全文
【補正方法】変更
【補正の内容】
【実用新案登録請求の範囲】
【請求項１】
カメラレンズを覆うことができるフィルム本体と、前記フィルム本体を前記カメラレンズに接着することができる光学接着剤層と、を含み、前記フィルム本体には少なくとも１個のグレーティングパターン領域及び少なくとも１個の光透過領域が設けられ、前記グレーティングパターン領域は、回折グレーティングマイクロ・ナノ構造又はホログラフィック回折グレーティングマイクロ・ナノ構造であることを特徴とする、カメラレンズ用フィルムステッカー。
【請求項２】
前記光透過領域は、１つであり、前記グレーティングパターン領域が前記光透過領域を囲むように形成されることを特徴とする、請求項１に記載のカメラレンズ用フィルムステッカー。
【請求項３】
前記光透過領域は、透明又は打ち抜きによって形成することができることを特徴とする、請求項１又は請求項２に記載のカメラレンズ用フィルムステッカー。
【請求項４】
前記グレーティングパターン領域は、複数であり、前記複数のグレーティングパターン領域が互いに離間しており、前記複数のグレーティングパターン領域間の間隔が前記光透過領域を形成することを特徴とする、請求項１に記載のカメラレンズ用フィルムステッカー。
【請求項５】
前記フィルム本体の一部の縁から外方に延びて形成されるリムーバブル領域をさらに含むことを特徴とする、請求項１に記載のカメラレンズ用フィルムステッカー。
【請求項６】
カメラレンズを覆うことができるフィルム本体と、前記フィルム本体から延出された周縁を前記カメラレンズの縁部に貼り付ける接着層と、を含み、前記フィルム本体には少なくとも１個のグレーティングパターン領域及び少なくとも１個の光透過領域が設けられることを特徴とする、カメラレンズ用フィルムステッカー。
【請求項７】
前記グレーティングパターン領域は、回折グレーティングマイクロ・ナノ構造又はホログラフィック回折グレーティングマイクロ・ナノ構造であることを特徴とする、請求項６に記載のカメラレンズ用フィルムステッカー。
【請求項８】
前記光透過領域は、１つであり、前記グレーティングパターン領域が前記光透過領域を囲むように形成され、かつ前記光透過領域が透明又は打ち抜きによって形成することができ、又は前記グレーティングパターン領域は、複数であり、前記複数のグレーティングパターン領域が互いに離間しており、前記複数のグレーティングパターン領域間の間隔が前記光透過領域を形成することを特徴とする、請求項６に記載のカメラレンズ用フィルムステッカー。
【請求項９】
前記フィルム本体の一部の縁から外方に延びて形成されるリムーバブル領域をさらに含むことを特徴とする、請求項６に記載のカメラレンズ用フィルムステッカー。